(57)【要約】【課題】浴室ユニットを設置する建築躯体の状況によらず、ミストサウナ機能付浴室暖房換気乾燥機の施工業者と浴室ユニットの施工業者の両方を手配する必要がなく手間が掛からないミストサウナ機能付浴室暖房換気乾燥機を提供する。【解決手段】浴室ユニットＵの天井パネル３上に設置するミストサウナ機能付浴室暖房換気乾燥機（機器４）の支持構造である。天井パネル３の開口部３０の両側の上面に補強材５を載設し、本体ケーシング４１を開口部３０に挿通させ、本体ケーシング４１の下端から連設される下フランジ４３を天井パネル３の開口部３０周辺の下面に当接させて、該本体ケーシング４１を、補強材５に固定され開口部３０に向けて伸びる連結部材６に固定し、空気を外部に排気する排気路及び排気手段を備え本体ケーシング４１の一側面に接続される換気ボックス４２を、補強材５に固定され上面にクッション材８２を設けた支持部材７に支持させる。【選択図】図１
2010054085.tif 000002
【特許請求の範囲】
【請求項１】
建物躯体の浴室スペースの床面に床パンを設置し、床パンの周端縁から壁パネルを立設し、該壁パネルの上端部に天井パネルを設置してなる浴室ユニットの天井裏に設置するミストサウナ機能付浴室暖房換気乾燥機の支持構造であって、天井パネルに浴室ユニット内外を連通する開口部を形成し、天井パネル上の前記開口部の両側に天井パネルの略全長に亘って補強材を載設し、ミストサウナ機能付浴室暖房換気乾燥機のうち浴室内にミストを吐出する機能を備えた本体ケーシングを天井パネルの開口部に挿通させ、本体ケーシングの下端から連設される下フランジを天井パネルの開口部周辺の下面に当接させた状態で、該本体ケーシングを、補強材に固定され開口部に向けて伸びる連結部材に固定し、ミストサウナ機能付浴室暖房換気乾燥機のうち浴室ユニット内から吸入した空気を外部に排気する排気路及び排気手段を備え本体ケーシングの一側面に接続される換気ボックスを、補強材に固定され上面にクッション材を設けた支持部材に支持させることを特徴とするミストサウナ機能付浴室暖房換気乾燥機の支持構造。
【発明の詳細な説明】
【技術分野】
【０００１】
本発明は、浴室ユニットの天井パネル上に設置するミストサウナ機能付浴室暖房換気乾燥機の支持構造に関するものである。
【背景技術】
【０００２】
従来より、身体に負担の少ない低温・高湿度のミストにより発汗を促すミストサウナを家庭で行うべく、浴室ユニットの天井パネル上にミストサウナ機能付浴室暖房換気乾燥機を設けるものが知られている（例えば特許文献１参照）。浴室ユニットは、浴室スペースに床パンを設置し、床パンの周端縁から壁パネルを立設し、壁パネルの上端部に天井パネルを設置して形成される。天井パネルには開口部が形成してあり、この開口部を介して浴室内にミストを吐出可能なようにミストサウナ機能付浴室暖房換気乾燥機を天井パネル上に載設している。
【特許文献１】特開２００２−８９８６６号公報
【発明の開示】
【発明が解決しようとする課題】
【０００３】
ところで、ミストサウナ機能付浴室暖房換気乾燥機は重量が２０ｋｇを越えるため、天井パネル上に直接載設すると、天井パネルが撓む惧れがある。そこで、建物躯体に梁材を架設して該梁材から吊下げ部材によりミストサウナ機能付浴室暖房換気乾燥機を吊下げる所謂天吊り施工が従来よく採用されていた。
【０００４】
しかしながら天吊り施工は、建築躯体の状況によっては施工できない場合があり、また、建築躯体の状況は様々であって施工の標準化が困難なため、浴室ユニットの施工業者がミストサウナ機能付浴室暖房換気乾燥機の設置を行うことができず、ミストサウナ機能付浴室暖房換気乾燥機の施工業者と浴室ユニットの施工業者の両方を手配する必要があり、手間が掛かるものであった。
【０００５】
また、ミスト吐出機能を備えた本体ケーシングと、空気を外部に排気する排気路及び排気手段を備え本体ケーシングの一側面に接続される換気ボックスと、を備えている場合には、換気ボックスを支持しなければ、本体ケーシングに換気ボックスの重量及びそのモーメントが掛かって、本体ケーシングが変形して破損する惧れがあった。
【０００６】
本発明は上記従来の問題点に鑑みて発明したものであって、その目的とするところは、浴室ユニットを設置する建築躯体の状況によらず、ミストサウナ機能付浴室暖房換気乾燥機の施工業者と浴室ユニットの施工業者の両方を手配する必要がなく手間が掛からないミストサウナ機能付浴室暖房換気乾燥機の支持構造を提供することを課題とするものである。
【課題を解決するための手段】
【０００７】
上記課題を解決するために請求項１に係る発明は、建物躯体の浴室スペースの床面Ｆに床パン１を設置し、床パン１の周端縁から壁パネル２を立設し、該壁パネル２の上端部に天井パネル３を設置してなる浴室ユニットＵの天井裏に設置するミストサウナ機能付浴室暖房換気乾燥機（機器４）の支持構造であって、天井パネル３に浴室ユニットＵ内外を連通する開口部３０を形成し、天井パネル３上の前記開口部３０の両側に天井パネル３の略全長に亘って補強材５を載設し、ミストサウナ機能付浴室暖房換気乾燥機のうち浴室内にミストを吐出する機能を備えた本体ケーシング４１を天井パネル３の開口部３０に挿通させ、本体ケーシング４１の下端から連設される下フランジ４３を天井パネル３の開口部３０周辺の下面に当接させた状態で、該本体ケーシング４１を、補強材５に固定され開口部３０に向けて伸びる連結部材６に固定し、ミストサウナ機能付浴室暖房換気乾燥機のうち浴室ユニットＵ内から吸入した空気を外部に排気する排気路及び排気手段を備え本体ケーシング４１の一側面に接続される換気ボックス４２を、補強材５に固定され上面にクッション材８２を設けた支持部材７に支持させることを特徴とするものである。
【０００８】
このような構成とすることで、重量の大きいミストサウナ機能付浴室暖房換気乾燥機を天井パネル３の略全長に亘って固定した補強材５に支持させて、天井パネル３が撓むことなく天井裏に載設することができ、また、換気ボックス４２も補強材５に支持させるため、本体ケーシング４１が変形して破損することもなく、また、支持部材７にクッション材８２を設けたことで、換気運転時に、排気手段としてのファンが駆動する際のモーメントによる振動が天井パネル３に伝わるのを防止することができる。
【発明の効果】
【０００９】
本発明にあっては、浴室ユニットを設置する建築躯体の状況によらず、ミストサウナ機能付浴室暖房換気乾燥機の施工業者と浴室ユニットの施工業者の両方を手配する必要がなく施工性がよいものである。
【発明を実施するための最良の形態】
【００１０】
以下、本発明について添付図面に基づいて説明する。
【００１１】
図２に示すように、建物躯体の浴室スペースの床面Ｆ上に床パン１を設置し、床パン１の周端縁から上方に壁パネル２を立設し、壁パネル２の上端部に天井パネル３を載設して浴室ユニットＵが形成してあり、内部が浴室となる。床パン１は、浴槽設置部１１と洗い場部１２とを備えており、浴槽設置部１１に浴槽ＢＴを設置すると共に、浴槽ＢＴの洗い場側の上端部のフランジ部から、浴槽設置部１１と洗い場部１２との境界部分にかけてエプロンＥを着脱自在に設置している。
【００１２】
上記浴室ユニットＵには、浴室内にミストを吐出する機能、暖房機能、乾燥機能、換気機能を備えたミストサウナ機能付浴室暖房換気乾燥機（以下、単に機器４という）を設けるもので、天井パネル３に開口部３０を形成して、この開口部３０を介して浴室内にミストを吐出可能なように機器４を天井裏（天井パネル３上）に設置するが、これについては後で詳述する。
【００１３】
この機器４は、図示はしないが、浴室ユニットＵ外に設置した給湯機能付き熱源機等の熱源からの温水経路が接続されると共に、水道に接続される給水管と、ドレンを排水する排水部とが設けられる。また機器４は、浴室内の空気を吸入すると共に再び吐出する循環路が形成してあり、この循環路内に、前記熱源機から温水経路を介して供給される温水にて循環路内を流れる空気を加熱する熱交換器が設置してある。また循環路は、循環路内を流れる空気を乾燥させる乾燥機能を備えると共に、循環路内に吸入した空気を外部に排気する排気路及び排気手段を備えている。
【００１４】
また機器４には、給水管より供給され熱交換器で加熱された温水をミスト吐出口としてのミストノズルに導くミスト配管が設けてあり、このミスト配管の途中に、前記熱源機から温水経路を介して供給される温水にてミスト配管を流れる水を加熱する熱交換器が設置してある。ミストノズルは、浴室内に向けて温水をミストとして吐出するものである。
【００１５】
そして、機器４から浴室内に暖気を吐出して暖房を行なったり、あるいは浴室内の空気を排出して浴室外に排気することで換気を行ったり、あるいは浴室内の空気を吸入して除湿を行うと共に再び浴室内に吐出して乾燥を行ったり、あるいは、浴室内にミストを吐出してミストサウナを行なったりすることができる。
【００１６】
機器４の排水部には、浴室外、すなわち天井パネル３上と壁パネル２の外側を通って、壁パネル２の貫通口２０に至る排水管４６が接続される。この排水管４６は、本実施形態では例えば架橋ポリエチレン管等からなる可撓性を有するものである。壁パネル２の浴槽ＢＴが近接して設置される部分であって、浴槽ＢＴのフランジ部よりも下方の部分に貫通口２０が形成してある。本実施形態では、浴槽設置部１１の洗い場側の左右の壁パネル２の一方に貫通口２０が形成してあり、壁パネル２の貫通口２０の端縁には壁貫通金具が設けてある。貫通口２０から浴室ユニットＵ内のエプロンＥよりも浴槽ＢＴ側の空間を通る例えば架橋ポリエチレン管等からなる可撓性を有する排水管４７が設けてある。排水管４７の下端部には、図示しないが整流器が取り付けてあり、この整流器から床パン１の浴槽設置部１１の排水口にドレンを排水している。
【００１７】
以下、ミストを吐出する機器４の天井裏への設置について説明する。
【００１８】
図１に示すように、天井パネル３上には、天井パネル３の長手方向略全長に亘って伸びる補強材５が設けられる。補強材５は、例えば鉄製の中空角パイプ等で構成され、天井パネル３の開口部３０の両側（天井パネル３の短手方向の両側）に設けられる。本実施形態では、天井パネル３の上面に開口部３０を除く略全面に亘って断熱材３１が載設してあり、更に断熱材３１の上の補強材５が載設される部分にクッション材８１が載設してあり、クッション材８１の上に補強材５が載設してある。
【００１９】
機器４は、平面視において天井パネル３の開口部３０と略同じ形状をした本体ケーシング４１と、本体ケーシング４１の一側面に接続される換気ボックス４２と、で主体が構成される。
【００２０】
本体ケーシング４１の下端からは、外方に下フランジ４３が連設してある。本体ケーシング４１内には、上述した温水経路、給水管、排水部、循環路、循環路内を流れる空気を加熱する熱交換器、ミスト配管、ミスト配管を流れる水を加熱する熱交換器、ミストノズル、が収納されており、換気ボックス４２内には、循環路内に吸入した空気を外部に排気する排気路及び排気手段が収納されており、重量が計２０ｋｇ程度と重いものである。なお、本実施形態の機器４、すなわちミストサウナ機能付浴室暖房換気乾燥機は、本体ケーシング４１が有するミスト吐出機能と暖房機能と換気機能と、換気ボックス４２が有する乾燥機能と、を備えているが、ミスト吐出機能と暖房機能と換気機能は、少なくとも一つ備えていればよく、その機能を本体ケーシング４１が有する。
【００２１】
この機器４は、天井パネル３の開口部３０に下方より本体ケーシング４１を挿入して、下フランジ４３を開口部３０周辺の天井パネル３下面にパッキンＰを介して当接させた状態で、補強材５に固定される連結部材６に固定するものである。
【００２２】
連結部材６は、略矩形状の縦片６１と、縦片６１の下端から側方に連設される略矩形状の横片６２とからなる側面視略Ｌ字状をしている。縦片６１には固着具挿通孔が穿設してあり、ビスからなる固着具６３を固着具挿通孔に挿通して補強材５の天井パネル３の開口部３０側の側面に形成された螺着孔に螺着することで、連結部材６が補強材５に固定される。横片６２は、その先端が平面視において天井パネル３の開口部３０内に位置するように縦片６１の下端から伸びている。横片６２の先端部には、上下に貫通する吊りボルト挿通孔６４が穿設してある。横片６２の吊りボルト挿通孔６４が天井パネル３の開口部３０の四隅に位置するように、四個の連結部材６が補強材５に固定される。
【００２３】
また、機器４の本体ケーシング４１には、四隅に上下方向の途中から上方に切欠してなる凹所４４が形成してあり、凹所４４の内表面が本体ケーシング４１の表面となっている。上述した連結部材６の横片６２の吊りボルト挿通孔６４を形成した部分が、前記凹所４４内に位置する。そして、本体ケーシング４１の凹所４４の下側の部分で平面視で吊りボルト挿通孔６４と重なる位置に、上下に貫通し前記吊りボルト挿通孔６４と連通する吊りボルト挿通孔４５が穿設してある。
【００２４】
本体ケーシング４１を連結部材６に固定するには、本体ケーシング４１の吊りボルト挿通孔４５と、ゴムからなり上下に貫通する吊りボルト挿通孔が穿設してある防振部材８３の吊りボルト挿通孔と、連結部材６の横片６２の吊りボルト挿通孔６４とを連通させる。そして、本体ケーシング４１と防振部材８３と連結部材６の吊りボルト挿通孔６４、４５に吊りボルト９１を挿通させ、吊りボルト９１の上下端にナット９２を螺合して、連結部材６の横片６２の上面と本体ケーシング４１の下面とにそれぞれ締結し、本体ケーシング４１が連結部材６に固定される。
【００２５】
支持部材７は、略矩形状の縦片７１と、縦片７１の上端から側方に連設される略矩形状の横片７２とからなる側面視略逆Ｌ字状をしている。縦片７１には固着具挿通孔が穿設してあり、ビスからなる固着具７３を固着具挿通孔に挿通して補強材５の天井パネル３の開口部３０側と反対側の側面に形成された螺着孔に螺着することで、支持部材７が補強材５に固定される。横片７２は、その上面が補強材５の上面と略同レベルかそれ以上となっていると共に、その上面上にクッション材８２を載設していて、クッション材８２の上面は補強材５の上面よりも上に位置している。
【００２６】
そして、換気ボックス４２は、支持部材７の上面に載設したクッション材８２上に載置されて支持される。
【００２７】
以上のような構成によれば、天井パネル３の略全長に亘って固定した補強材５に、重量の大きい機器４を支持させることで、天井パネル３の機器４が位置する部分のみに荷重が集中的に掛からないように分散して、天井パネル３が撓むのを防止することができる。また、換気ボックス４２も補強材５に支持させるため、本体ケーシング４１が変形して破損することもないものである。また支持部材７にクッション材８１を設けたことで、換気運転時に、排気手段としてのファンが駆動する際のモーメントによる振動が天井パネル３に伝わるのを防止することができる。
【００２８】
この結果、浴室ユニットＵを設置する建築躯体の状況によらず、ミストサウナ機能付浴室暖房換気乾燥機の施工業者と浴室ユニットＵの施工業者の両方を手配する必要がなく施工性が向上する。
【図面の簡単な説明】
【００２９】
【図１】本発明の一実施形態の要部側断面図である。
【図２】同上の浴室の一部切欠した斜視図である。
【符号の説明】
【００３０】
１    床パン
２    壁パネル
３    天井パネル
３０  開口部
３１  断熱材
５    補強材
４    機器
４１  本体ケーシング
４２  換気ボックス
４３  下フランジ
４４  凹所
４５  吊りボルト挿通孔
６    連結部材
６１  縦片
６２  横片
６３  固着具
６４  吊りボルト挿通孔
７    支持部材
７１  縦片
７２  横片
７３  固着具
８１  クッション材
８２  クッション材
８３  防振部材
９１  吊りボルト
９２  ナット
９３  ワッシャ
Ｕ    浴室ユニット
Ｐ    パッキン
【図１】
2010054085.tif 000003
【図２】
2010054085.tif 000004